【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータビットストリームに存在する初期のイントラランダムアクセスポイント（ＩＲＡＰ）アクセス単位のクロスレイヤランダムアクセススキップ（ＣＬ−ＲＡＳ）ピクチャのための第１、第２、第３、第４及び第５参照ピクチャサブセットに対して利用不可の参照ピクチャを生成することと、
前記初期のＩＲＡＰアクセス単位は、０に等しいｎｕｈ＿ｌａｙｅｒ＿ｉｄを有するコード化ピクチャがその中で１に等しいＮｏＲａｓｌＯｕｔｐｕｔＦｌａｇを有する１つ以上のＩＲＡＰを含むアクセス単位であり、但し、前記初期のＩＲＡＰアクセス単位のベースレイヤのピクチャがＩＲＡＰピクチャであり、前記初期のＩＲＡＰアクセス単位の前記ピクチャの全てがＩＲＡＰピクチャでない、
前記ＣＬ−ＲＡＳピクチャがＩＲＡＰピクチャでないが前記初期のＩＲＡＰアクセス単位内にあるピクチャであり、ここにおいて前記ＣＬ−ＲＡＳピクチャが前記ビデオデータビットストリームに存在しないピクチャに対する参照を含み、前記ＣＬ−ＲＡＳピクチャのレイヤ識別子が０より大きい、
前記第１の参照ピクチャサブセット内の各参照ピクチャが出力順で前記ＣＬ−ＲＡＳピクチャの前に生じる短期参照ピクチャであり、前記第２の参照ピクチャサブセット内の各参照ピクチャが出力順で前記ＣＬ−ＲＡＳピクチャの後に生じる短期参照ピクチャであり、前記第３の参照ピクチャサブセット内の各参照ピクチャが前記ＣＬ−ＲＡＳピクチャのインター予測のために使用されない短期参照ピクチャであり、前記第４の参照ピクチャサブセット内の各参照ピクチャが前記ＣＬ−ＲＡＳピクチャのインター予測に使用可能な長期参照ピクチャであり、前記第５の参照ピクチャセット内の各参照ピクチャが前記ＣＬ−ＲＡＳピクチャのインター予測に使用されない長期参照ピクチャである、
生成された前記利用不可の参照ピクチャの１つ以上に少なくとも部分的に基づいて前記ＣＬ−ＲＡＳピクチャを復号することと、
を備える、ビデオデータを復号する方法。
【請求項２】
前記方法が、前記ビデオデータビットストリームの補足拡張情報（ＳＥＩ）メッセージ内のデータに少なくとも部分的に基づいて、値を設定することと、
前記初期のＩＲＡＰアクセス単位と関連する全てのＣＬ−ＲＡＳピクチャが前記ビデオデータビットストリームに存在するかどうかを前記値に基づいて決定することと、を備える、請求項１に記載の方法。
【請求項３】
前記初期のＩＲＡＰアクセス単位と関連する全てのＣＬ−ＲＡＳピクチャが前記ビデオデータビットストリームに存在するかどうかを値に基づいて決定することを更に備え、前記値が、前記ビデオデータ用の復号プロセスの外部の機構によって設定される、請求項１に記載の方法。
【請求項４】
前記初期のＩＲＡＰアクセス単位と関連する全てのＣＬ−ＲＡＳピクチャが前記ビデオデータビットストリームに存在するかどうかを値に基づいて決定することと、
前記値に部分的に基づいて、コード化ピクチャバッファ（ＣＰＢ）動作を実行することと
を更に備える、請求項１に記載の方法。
【請求項５】
前記ＣＰＢ動作を実行することが、
前記初期のＩＲＡＰアクセス単位と関連付けられた全てのＣＬ−ＲＡＳピクチャが前記ビデオデータビットストリーム内に存在するとは限らないことを前記値が示し、第２のシンタックス要素及び第３のシンタックス要素のバッファリング期間補足拡張情報（ＳＥＩ）メッセージ内の存在を示す第１のシンタックス要素を前記バッファリング期間ＳＥＩメッセージが含むとき、
ＣＰＢ削除遅延を前記第２のシンタックス要素によって指定された代替削除遅延に設定することと、
ＣＰＢ削除オフセットを前記第３のシンタックス要素によって指定された代替削除オフセットに設定することと
を備える、請求項４に記載の方法。
【請求項６】
前記利用不可の参照ピクチャを生成することが、
前記第１の参照ピクチャサブセット用のアレイ内のそれぞれの位置ごとに、前記それぞれの位置にある項目が「参照ピクチャがない」に等しい場合、次のことが当てはまる参照ピクチャを生成することと、
生成された前記参照ピクチャについてのピクチャ順序カウント（ＰＯＣ）値が、ＰＯＣ値の第１のセット内の前記それぞれの位置にあるＰＯＣ値に等しいこと、
生成された前記参照ピクチャ用のピクチャ出力フラグが０に等しいように設定されること、
生成された前記参照ピクチャが短期参照に使用されるものとしてマークされること、
前記第１の参照ピクチャサブセット用の前記アレイ内の前記それぞれの位置が前記生成された参照ピクチャに設定されること、及び
生成された前記参照ピクチャ用のレイヤ識別子が前記ＣＬ−ＲＡＳピクチャのレイヤ識別子に設定されること
前記第２の参照ピクチャサブセット用のアレイ内のそれぞれの位置ごとに、前記それぞれの位置にある項目が「参照ピクチャがない」に等しい場合、次のことが当てはまる参照ピクチャを生成することと、
生成された前記参照ピクチャについてのＰＯＣ値が、ＰＯＣ値の第２のセット内の前記それぞれの位置にあるＰＯＣ値に等しいこと、
生成された前記参照ピクチャ用のピクチャ出力フラグが０に等しいように設定されること、
生成された前記参照ピクチャが短期参照に使用されるものとしてマークされること、
前記第２の参照ピクチャサブセット用の前記アレイ内の前記それぞれの位置が前記生成された参照ピクチャに設定されること、及び
生成された前記参照ピクチャ用のレイヤ識別子が前記ＣＬ−ＲＡＳピクチャの前記レイヤ識別子に設定されること
前記第３の参照ピクチャサブセット用のアレイ内のそれぞれの位置ごとに、前記それぞれの位置にある項目が「参照ピクチャがない」に等しい場合、次のことが当てはまる参照ピクチャを生成することと、
生成された前記参照ピクチャについてのＰＯＣ値が、ＰＯＣ値の第３のセット内の前記それぞれの位置にあるＰＯＣ値に等しいこと、
生成された前記参照ピクチャ用のピクチャ出力フラグが０に等しいように設定されること、
生成された前記参照ピクチャが短期参照に使用されるものとしてマークされること、
前記第３の参照ピクチャサブセット用の前記アレイ内の前記それぞれの位置が前記生成された参照ピクチャに設定されること、及び
生成された前記参照ピクチャ用のレイヤ識別子が前記ＣＬ−ＲＡＳピクチャの前記レイヤ識別子に設定されること
前記第４の参照ピクチャサブセット用のアレイ内のそれぞれの位置ごとに、前記それぞれの位置にある項目が「参照ピクチャがない」に等しい場合、次のことが当てはまる参照ピクチャを生成することと、
生成された前記参照ピクチャについてのＰＯＣ値が、ＰＯＣ値の第４のセット内の前記それぞれの位置にあるＰＯＣ値に等しいこと、
生成された前記ピクチャについてのＰＯＣ値の最下位ビットを指定するシンタックス要素の値が、ＰＯＣ値の前記第４のセット内の前記それぞれの位置にある前記ＰＯＣ値と、前記ＰＯＣ値の前記最下位ビットがマイナス１を有することが許される最大値を示す変数からもたらされる値とのビット単位の「ａｎｄ」演算の結果に等しいと推論されること、
生成された前記参照ピクチャ用のピクチャ出力フラグが０に等しいように設定されること、
生成された前記参照ピクチャが長期参照に使用されるものとしてマークされること、
前記第４の参照ピクチャサブセット用の前記アレイ内の前記それぞれの位置が前記生成された参照ピクチャに設定されること、及び
生成された前記参照ピクチャ用のレイヤ識別子が前記ＣＬ−ＲＡＳピクチャの前記レイヤ識別子に設定されること
第５の参照ピクチャサブセットのアレイ内のそれぞれの位置ごとに、前記それぞれの位置にある項目が「参照ピクチャがない」に等しい場合、次のことが当てはまる参照ピクチャを生成することと、
生成された前記参照ピクチャについてのＰＯＣ値が、ＰＯＣ値の第５のセット内の前記それぞれの位置にあるＰＯＣ値に等しいこと、
生成された前記参照ピクチャについてのＰＯＣ値の最下位ビットを指定するシンタックス要素の値が、ＰＯＣ値の前記第５のセット内の前記それぞれの位置にある前記ＰＯＣ値と、前記ＰＯＣ値の前記最下位ビットがマイナス１を有することが許される最大値を示す変数からもたらされる値とのビット単位の「ａｎｄ」演算の結果に等しいと推論されること、
生成された前記参照ピクチャ用のピクチャ出力フラグが０に等しいように設定されること、
生成された前記参照ピクチャが長期参照に使用されるものとしてマークされること、
前記第５の参照ピクチャサブセットのアレイ内の前記それぞれの位置が前記生成された参照ピクチャに設定されること、及び
生成された前記参照ピクチャ用のレイヤ識別子が前記ＣＬ−ＲＡＳピクチャの前記レイヤ識別子に設定されること
を備える、請求項１に記載の方法。
【請求項７】
コード化ビデオビットストリームのＳＥＩメッセージから、代替ＣＰＢ削除遅延シンタックス要素及び代替ＣＰＢ削除オフセットシンタックス要素が前記ＳＥＩメッセージ内に存在するかどうかを指定するシンタックス要素を取得することと、ここにおいて、前記代替ＣＰＢ削除遅延シンタックス要素は、ネットワーク抽象化レイヤ（ＮＡＬ）仮想参照デコーダ（ＨＲＤ）パラメータが使用されているとき、ＣＰＢについての代替初期ＣＰＢ削除遅延を指定し、ここにおいて、前記代替ＣＰＢ削除オフセットシンタックス要素は、前記ＮＡＬ  ＨＲＤパラメータが使用されているとき、前記ＣＰＢについての代替初期ＣＰＢ削除オフセットを指定する、
前記ＳＥＩメッセージから、前記ＳＥＩメッセージと関連するＩＲＡＰアクセス単位と関連付けられたＣＬ−ＲＡＳピクチャが前記ビデオデータビットストリーム内に存在しないとき、前記ＳＥＩメッセージと関連付けられた前記ＩＲＡＰアクセス単位に復号順序で後続するアクセス単位の名目ＣＰＢ削除時間の導出において使用されるべきオフセットを指定する、ＣＰＢクロスレイヤ遅延オフセットシンタックス要素を取得することと、
前記ＳＥＩメッセージから、前記初期のＩＲＡＰアクセス単位と関連付けられたＣＬ−ＲＡＳピクチャが前記ビデオデータビットストリーム内に存在しないとき、前記ＳＥＩメッセージと関連付けられたＩＲＡＰアクセス単位の復号ピクチャバッファ（ＤＰＢ）出力時間の導出において使用されるべきオフセットを指定する、ＤＰＢクロスレイヤ遅延オフセットシンタックス要素を取得することと
を更に備える、請求項１に記載の方法。
【請求項８】
コード化ビデオビットストリームのＳＥＩメッセージから、代替ＣＰＢ削除遅延シンタックス要素及び代替ＣＰＢ削除オフセットシンタックス要素が前記ＳＥＩメッセージ内に存在するかどうかを指定するシンタックス要素を取得することと、ここにおいて、前記代替ＣＰＢ削除遅延シンタックス要素は、ビデオコード化レイヤ（ＶＣＬ）仮想参照デコーダ（ＨＲＤ）パラメータが使用されているとき、ＣＰＢについての代替初期ＣＰＢ削除遅延を指定する、ここにおいて、前記代替ＣＰＢ削除オフセットシンタックス要素は、前記ＶＣＬ  ＨＲＤパラメータが使用されているとき、前記ＣＰＢについての代替初期ＣＰＢ削除オフセットを指定する、
前記ＳＥＩメッセージから、前記ＳＥＩメッセージと関連するＩＲＡＰアクセス単位と関連付けられたＣＬ−ＲＡＳピクチャが前記ビデオデータビットストリーム内に存在しないとき、前記ＳＥＩメッセージと関連付けられた前記ＩＲＡＰアクセス単位に復号順序で後続するアクセス単位の名目ＣＰＢ削除時間の導出において使用されるべきオフセットを指定する、ＣＰＢクロスレイヤ遅延オフセットシンタックス要素を取得することと、
前記ＳＥＩメッセージから、前記初期のＩＲＡＰアクセス単位と関連付けられたＣＬ−ＲＡＳピクチャが前記ビデオデータビットストリーム内に存在しないとき、前記ＳＥＩメッセージと関連付けられたＩＲＡＰアクセス単位の復号ピクチャバッファ（ＤＰＢ）出力時間の導出において使用されるべきオフセットを指定する、ＤＰＢクロスレイヤ遅延オフセットシンタックス要素を取得することと
を更に備える、請求項１に記載の方法。
【請求項９】
ビデオデータを復号するための機器であって、前記機器は、
ビデオデータを記憶するように構成されたデータ記憶媒体と、
ビデオデータビットストリームに存在する初期のイントラランダムアクセスポイント（ＩＲＡＰ）アクセス単位のクロスレイヤランダムアクセススキップ（ＣＬ−ＲＡＳ）ピクチャに対して第１、第２、第３、第４及び第５参照ピクチャサブセットに対して利用不可の参照ピクチャを生成することと、
前記初期のＩＲＡＰアクセス単位は、０に等しいｎｕｈ＿ｌａｙｅｒ＿ｉｄを有するコード化ピクチャがその中で１に等しいＮｏＲａｓｌＯｕｔｐｕｔＦｌａｇを有する１つ以上のＩＲＡＰを含むアクセス単位であり、但し、前記初期のＩＲＡＰアクセス単位のベースレイヤのピクチャがＩＲＡＰピクチャであり、
前記ＣＬ−ＲＡＳピクチャがＩＲＡＰピクチャでないが前記初期のＩＲＡＰアクセス単位内にあるピクチャであり、ここにおいて前記ＣＬ−ＲＡＳピクチャが前記ビデオデータビットストリームに存在しないピクチャに対する参照を含み、前記ＣＬ−ＲＡＳピクチャのレイヤ識別子が０より大きい、
前記第１の参照ピクチャサブセット内の各参照ピクチャが出力順で前記ＣＬ−ＲＡＳピクチャの前に生じる短期参照ピクチャであり、前記第２の参照ピクチャサブセット内の各参照ピクチャが出力順で前記ＣＬ−ＲＡＳピクチャの後に生じる短期参照ピクチャであり、前記第３の参照ピクチャサブセット内の各参照ピクチャが前記ＣＬ−ＲＡＳピクチャのインター予測のために使用されない短期参照ピクチャであり、前記第４の参照ピクチャサブセット内の各参照ピクチャが前記ＣＬ−ＲＡＳピクチャのインター予測に使用可能な長期参照ピクチャであり、前記第５の参照ピクチャセット内の各参照ピクチャが前記ＣＬ−ＲＡＳピクチャのインター予測に使用されない長期参照ピクチャである、
生成された前記利用不可の参照ピクチャの１つ以上に少なくとも部分的に基づいて前記ＣＬ−ＲＡＳピクチャを復号することと、
を行うように構成された１つ以上のプロセッサと
を備える、機器。
【請求項１０】
前記１つ以上のプロセッサが、前記ビデオデータビットストリームの補足拡張情報（ＳＥＩ）メッセージ内のデータに少なくとも部分的に基づいて、値を設定することと、
前記初期のＩＲＡＰアクセス単位と関連する全てのＣＬ−ＲＡＳピクチャが前記ビデオデータビットストリームに存在するかどうかを前記値に基づいて決定することと、
を行うように構成された、請求項９に記載の機器。
【請求項１１】
前記１つ以上のプロセッサが前記初期のＩＲＡＰアクセス単位と関連する全てのＣＬ−ＲＡＳピクチャが前記ビデオデータビットストリームに存在するかどうかを値に基づいて決定するように構成され、前記値が、前記ビデオデータ用の復号プロセスの外部の機構によって設定される、請求項９に記載の機器。
【請求項１２】
前記１つ以上のプロセッサが、
前記初期のＩＲＡＰアクセス単位と関連する全てのＣＬ−ＲＡＳピクチャが前記ビデオデータビットストリームに存在するかどうかを値に基づいて決定することと、
前記値に部分的に基づいて、コード化ピクチャバッファ（ＣＰＢ）動作を実行することと、
を行うように構成された、請求項９に記載の機器。
【請求項１３】
前記ＣＰＢ動作を実行することの一部として、
前記初期のＩＲＡＰアクセス単位と関連付けられた全てのＣＬ−ＲＡＳピクチャが前記ビデオデータビットストリーム内に存在するとは限らないことを前記値が示し、第２のシンタックス要素及び第３のシンタックス要素のバッファリング期間補足拡張情報（ＳＥＩ）メッセージ内の存在を示す第１のシンタックス要素を前記バッファリング期間ＳＥＩメッセージが含むとき、
ＣＰＢ削除遅延を前記第２のシンタックス要素によって指定された代替削除遅延に設定することと、
ＣＰＢ削除オフセットを前記第３のシンタックス要素によって指定された代替削除オフセットに設定することと
を行うように、前記１つ以上のプロセッサが構成された、請求項１２に記載の機器。
【請求項１４】
前記第１の参照ピクチャサブセット用のアレイ内のそれぞれの位置ごとに、前記それぞれの位置にある項目が「参照ピクチャがない」に等しい場合、前記１つ以上のプロセッサが、次のことが当てはまる参照ピクチャを生成するように、
生成された前記参照ピクチャについてのピクチャ順序カウント（ＰＯＣ）値が、ＰＯＣ値の第１のセット内の前記それぞれの位置にあるＰＯＣ値に等しいこと、
生成された前記参照ピクチャ用のピクチャ出力フラグが０に等しいように設定されること、
生成された前記参照ピクチャが短期参照に使用されるものとしてマークされること、
前記第１の参照ピクチャサブセット用の前記アレイ内の前記それぞれの位置が前記生成された参照ピクチャに設定されること、及び
生成された前記参照ピクチャ用のレイヤ識別子が前記ＣＬ−ＲＡＳピクチャのレイヤ識別子に設定されること
前記第２の参照ピクチャサブセット用のアレイ内のそれぞれの位置ごとに、前記それぞれの位置にある項目が「参照ピクチャがない」に等しい場合、前記１つ以上のプロセッサが、次のことが当てはまる参照ピクチャを生成するように、
生成された前記参照ピクチャについてのＰＯＣ値が、ＰＯＣ値の第２のセット内の前記それぞれの位置にあるＰＯＣ値に等しいこと、
生成された前記参照ピクチャ用のピクチャ出力フラグが０に等しいように設定されること、
生成された前記参照ピクチャが短期参照に使用されるものとしてマークされること、
前記第２の参照ピクチャサブセット用の前記アレイ内の前記それぞれの位置が前記生成された参照ピクチャに設定されること、及び
生成された前記参照ピクチャ用のレイヤ識別子が前記ＣＬ−ＲＡＳピクチャの前記レイヤ識別子に設定されること
前記第３の参照ピクチャサブセット用のアレイ内のそれぞれの位置ごとに、前記それぞれの位置にある項目が「参照ピクチャがない」に等しい場合、前記１つ以上のプロセッサが、次のことが当てはまる参照ピクチャを生成するように、
生成された前記参照ピクチャについてのＰＯＣ値が、ＰＯＣ値の第３のセット内の前記それぞれの位置にあるＰＯＣ値に等しいこと、
生成された前記参照ピクチャ用のピクチャ出力フラグが０に等しいように設定されること、
生成された前記参照ピクチャが短期参照に使用されるものとしてマークされること、
前記第３の参照ピクチャサブセット用の前記アレイ内の前記それぞれの位置が生成された前記参照ピクチャに設定されること、及び
生成された前記参照ピクチャ用のレイヤ識別子が前記ＣＬ−ＲＡＳピクチャの前記レイヤ識別子に設定されること
前記第４の参照ピクチャサブセット用のアレイ内のそれぞれの位置ごとに、前記それぞれの位置にある項目が「参照ピクチャがない」に等しい場合、前記１つ以上のプロセッサが、次のことが当てはまる参照ピクチャを生成するように、
生成された前記参照ピクチャについてのＰＯＣ値が、ＰＯＣ値の第４のセット内の前記それぞれの位置にあるＰＯＣ値に等しいこと、
生成された前記参照ピクチャについてのＰＯＣ値の最下位ビットを指定するシンタックス要素の値が、ＰＯＣ値の前記第４のセット内の前記それぞれの位置にある前記ＰＯＣ値と、前記ＰＯＣ値の前記最下位ビットがマイナス１を有することが許される最大値を示す変数からもたらされる値とのビット単位の「ａｎｄ」演算の結果に等しいと推論されること、
生成された前記参照ピクチャ用のピクチャ出力フラグが０に等しいように設定されること、
生成された前記参照ピクチャが長期参照に使用されるものとしてマークされること、
前記第４の参照ピクチャサブセット用の前記アレイ内の前記それぞれの位置が生成された前記参照ピクチャに設定されること、及び
生成された前記参照ピクチャ用のレイヤ識別子が前記ＣＬ−ＲＡＳピクチャの前記レイヤ識別子に設定されること
前記第５の参照ピクチャサブセット用のアレイ内のそれぞれの位置ごとに、前記それぞれの位置にある項目が「参照ピクチャがない」に等しい場合、前記１つ以上のプロセッサが、次のことが当てはまる参照ピクチャを生成するように、
生成された前記参照ピクチャについてのＰＯＣ値が、ＰＯＣ値の第５のセット内の前記それぞれの位置にあるＰＯＣ値に等しいこと、
生成された前記参照ピクチャについてのＰＯＣ値の最下位ビットを指定するシンタックス要素の値が、ＰＯＣ値の前記第５のセット内の前記それぞれの位置にある前記ＰＯＣ値と、前記ＰＯＣ値の前記最下位ビットがマイナス１を有することが許される最大値を示す変数からもたらされる値とのビット単位の「ａｎｄ」演算の結果に等しいと推論されること、
生成された前記参照ピクチャ用のピクチャ出力フラグが０に等しいように設定されること、
生成された前記参照ピクチャが長期参照に使用されるものとしてマークされること、
前記第５の参照ピクチャサブセット用の前記アレイ内の前記それぞれの位置が前記生成された参照ピクチャに設定されること、及び
生成された前記参照ピクチャ用のレイヤ識別子が前記ＣＬ−ＲＡＳピクチャの前記レイヤ識別子に設定されること
前記１つ以上のプロセッサが構成された、請求項９に記載の機器。
【請求項１５】
実行されたとき、請求項１〜８のいずれか一項に記載の方法を機器に行わせる命令を記憶した、コンピュータ可読データ記憶媒体。